(57)【要約】【課題】      小型で運搬性に優れ、路面の焼損を有効に防止でき、かつ、耐屈曲性、耐衝撃性に優れた信号炎管用路面損傷防止体を提供。【解決手段】    信号炎管の燃焼により発生する高温度の火炎及び燃焼残渣と路面との接触を防止する信号炎管用路面損傷防止体１の断熱層に、吸水させた親水性物質、例えば、水溶性天然高分子、セルロース誘導体、ポリアクリル酸ソーダ、ポリアクリルアマイド、ポリアクリルアミン、ポリエチレンイミン、ポリエチレンオキサイド、ポリエチレングリコール、ポリビニルアルコール、ポリビニルメチルエーテル、ポリビニルピロリドン、プロピレングリコールを使用し、該路面損傷防止体に転がり防止手段（例えば、粘着層４）を設けて信号炎管を固定する。【選択図】    図１
2005301761.tif 000002
【特許請求の範囲】
【請求項１】
信号炎管の燃焼により発生する高温度の火炎及び燃焼残渣と路面との接触を防止する信号炎管用路面損傷防止体において、該路面損傷防止体の断熱層が、吸水させた親水性物質からなることを特徴とする信号炎管用路面損傷防止体。
【請求項２】
吸水させた親水性物質が、水溶性天然高分子、セルロース誘導体、ポリアクリル酸ソーダ、ポリアクリルアマイド、ポリアクリルアミン、ポリエチレンイミン、ポリエチレンオキサイド、ポリエチレングリコール、ポリビニルアルコール、ポリビニルメチルエーテル、ポリビニルピロリドン、プロピレングリコールからなる群から選ばれる少なくとも１種に、水を吸収させてなることを特徴とする請求項１に記載の信号炎管用路面損傷防止体。
【請求項３】
請求項１または請求項２のいずれかに記載の路面損傷防止体が、信号炎管の転がり防止手段を具備してなることを特徴とする信号炎管用路面損傷防止体。
【請求項４】
転がり防止手段が、信号炎管と路面損傷防止体とを接着または結束、あるいは、路面損傷防止体に信号炎管の転がりを防止する突起状ストッパを具備する、いずれかの手段であることを特徴とする請求項３に記載の信号炎管用路面損傷防止体。
【請求項５】
路面損傷防止体の信号炎管載置部が凹面形状を呈することを特徴とする請求項１または請求項２のいずれかに記載の信号炎管用路面損傷防止体。
【発明の詳細な説明】
【技術分野】
【０００１】
本発明は、信号炎管の燃焼により発生する高温度の火炎や燃焼残渣から、アスファルト等の路面を保護するために用いられる信号炎管用路面損傷防止体に関するものである。
【背景技術】
【０００２】
信号炎管は、高速道路等において事故等が発生した場合、火薬の燃焼により発する高光度の炎によって、道路作業員が後続車両に事故が発生していることを知らせ、二次災害を防ぐ緊急信号として用いられている。
【０００３】
通常、信号炎管は、信号炎管本体に設けられた発火薬を摺付薬紙により摩擦、着火して火炎や煙を発生させた後、路面上に置いて使用される。
【０００４】
しかしながら、信号炎管から発生する火炎や燃焼残渣は、最高温度が千数百℃に達し、路面上に横に置いた状態で燃焼させると、アスファルトが焼損し、路面に穴あき状態を発生させ、この状態で放置すると、走行車両のタイヤによる衝撃や風雨等による風化作用により、時間経過とともに穴が大きくなるため、穴埋め等により補修しなければならず、補修費用がかかるという課題を有していた。
【０００５】
上記課題を解決するために、特許文献１には、パーライトのような砂状物質を、水ガラスまたは澱粉質ののりで固めた易破壊性材料からなる信号炎管用設置具が提案されている。該公報に記載の設置具は、信号炎管単体に比べかさばるため、運搬性に劣り、また、易破壊性材料を使用しているため、壊れ易いという欠点があった。
【０００６】
また、特許文献２及び特許文献３には、可燃性断熱層または不燃性断熱層と熱線遮断層からなる路面損傷防止体が提案されている。該公報記載の路面損傷防止体は、可燃性材料、柔軟性を有する不燃性または足で踏むと粉々になる非柔軟性の易破壊性不燃性材料から構成されてなり、紙、木材等の可燃性材料を用いた場合は、壊れにくく、持ち運びが容易である反面、該可燃性材料の燃焼により、路面の焼損を招く恐れがあった。また、フェノール樹脂等の柔軟性を有する不燃性材料を用いた場合は、該不燃性材料の熱伝導が良いため、布状または綿状に加工して厚みを持たせ、路面への熱伝達を防止する工夫がなされているが、やはりかさばるため、運搬性に劣るという欠点があった。また、炭化ケイ素、耐熱性セラミック等の易破壊性不燃性材料を用いた場合には、壊れ易いという欠点があり、上記いずれの材料を用いてもなお、一長一短があり、小型で運搬性に優れ、路面の焼損を有効に防止でき、かつ、耐屈曲性、耐衝撃性に優れた信号炎管用路面損傷防止体が望まれていた。
【０００７】
【特許文献１】特開平０５−２９０２８１号公報
【特許文献２】特開２００１−３１９２７７号公報
【特許文献３】特開２００１−３１９２７８号公報
【発明の開示】
【発明が解決しようとする課題】
【０００８】
本発明の目的は、小型で運搬性に優れ、路面の焼損を有効に防止でき、かつ、耐屈曲性、耐衝撃性に優れた信号炎管用路面損傷防止体を提供することである。
【課題を解決するための手段】
【０００９】
本発明者は鋭意検討を行った結果、断熱層に吸水させた親水性物質を用いた路面損傷防止体が、断熱性が高く路面の焼損を有効に防止でき、かつ、耐屈曲性、耐衝撃性に優れ、上記課題を解決し得ることを見出し、本発明を完成するに至った。
【００１０】
すなわち、本発明は、信号炎管の燃焼により発生する高温度の火炎及び燃焼残渣と路面との接触を防止する信号炎管用路面損傷防止体において、該路面損傷防止体の断熱層が、吸水させた親水性物質からなることを特徴とする信号炎管用路面損傷防止体である。
【００１１】
また、本発明は、吸水させた親水性物質が、水溶性天然高分子、セルロース誘導体、ポリアクリル酸ソーダ、ポリアクリルアマイド、ポリアクリルアミン、ポリエチレンイミン、ポリエチレンオキサイド、ポリエチレングリコール、ポリビニルアルコール、ポリビニルメチルエーテル、ポリビニルピロリドン、プロピレングリコールからなる群から選ばれる少なくとも１種に、水を吸収させてなることを特徴とする信号炎管用路面損傷防止体である。
【００１２】
また、本発明は、路面損傷防止体が、信号炎管の転がり防止手段を具備してなることを特徴とする信号炎管用路面損傷防止体である。
【００１３】
また、上記転がり防止手段が、信号炎管と路面損傷防止体とを接着または結束、あるいは、路面損傷防止体に信号炎管の転がりを防止する突起状ストッパーを具備する、いずれかの手段であることを特徴とする信号炎管用路面損傷防止体である。
【００１４】
また、本発明は、路面損傷防止体の信号炎管載置部が凹面形状を呈することを特徴とする信号炎管用路面損傷防止体である。
【発明の効果】
【００１５】
本発明の信号炎管用路面損傷防止体は、信号炎管の燃焼により発生する高温度の火炎及び燃焼残渣と路面との接触を防止する信号炎管用路面損傷防止体において、該路面損傷防止体の断熱層が、吸水させた親水性物質からなり、該断熱層は、断熱効果が高くアスファルト等の路面焼損を有効に防止でき、また、断熱層を薄くすることができるので、持ち運びが容易で運搬性に優れ、さらに、曲げや落下等の衝撃を受けても壊れにくく、耐屈曲性、耐衝撃性に優れ、取り扱いが容易である。
【発明を実施するための最良の形態】
【００１６】
本発明の路面損傷防止体は、高速道路等のアスファルトで舗装された路面上に、信号炎管を横に置いて使用する際に、信号炎管の燃焼により発生する高温度の火炎及び燃焼残渣と路面との接触を防止し、路面の焼損を防止する目的で用いられ、本発明の路面損傷防止体は、断熱層が吸水させた親水性物質からなるものである。
【００１７】
上記親水性物質としては、カゼイン、ゼラチン、でんぷん、アラビアゴム、アルギン酸ソーダ、カラギーナン、寒天、ペクチン、キサンタンガム、グアーガム、サイクリデキストリン、ジュランガム、タマリンド種子多糖類、タンニン酸、トラガントガム、ファーセレラン、プルラン、ローストビーンガムなどの水溶性天然高分子、カルボキシメチルセルロースナトリウム、カルボキシメチルセルロースナイトレート、ヒドロキシエチルセルロース、ヒドロキシプロピルセルロース、メチルセルロースなどのセルロース誘導体、ポリアクリル酸ソーダ、ポリアクリルアマイド、ポリアクリルアミン、ポリエチレンイミン、ポリエチレンオキサイド、ポリエチレングリコール、ポリビニルアルコール、ポリビニルメチルエーテル、ポリビニルピロリドン、プロピレングリコールがあげられ、これらの物質に適度に水を吸水させ、水性ゲル状にして用いられる。
【００１８】
本発明の路面損傷防止体は、板状体であっても、信号炎管の載置部が凹面形状を呈した凹面体であってもよく、特に限定されないが、上記吸水させた親水性物質単独では、路面損傷防止体としての形状を保持するのが困難であったり、親水性物質の乾燥を防止するため、通常、袋や箱等の容器に詰めて用いられ、容器の材質としては、例えば、樹脂、紙があげられ、紙を用いる場合には、耐湿及び防湿加工が施されたものが好ましい。
【００１９】
以下、本発明について、図面を参照して詳細に説明する。なお、図１〜図３は、本発明の路面損傷防止体（板状体）の一実施形態を示す概略図であり、図４は、本発明の路面損傷防止体（凹面体）の一実施形態を示す概略図である。
【００２０】
本発明の路面損傷防止体は、図１〜図３に示す板状体であってもよいし、図４に示す凹面体であってもよく、該形状が凹面体の場合は、信号炎管が路面損傷防止体から転がり落ちる恐れはないが、板状体の場合は、信号炎管が、風や傾斜等により路面損傷防止体から転がり落ちる恐れがあるため、転がり防止手段を具備するのが好ましい。
【００２１】
上記転がり防止手段としては、信号炎管と路面損傷防止体とを接着または結束、あるいは、路面損傷防止体の信号炎管載置部両端に突起状ストッパを具備する、いずれかの手段があげられ、特に限定されない。
【００２２】
図１に示す本発明の路面損傷防止体は、路面損傷防止体１に、粘着による信号炎管の転がり防止手段を設けたものであり、蓋体２を有する信号炎管の本体３を粘着層４（例えば、両面粘着テープや糊剤等）に貼付することにより、路面損傷防止体と信号炎管とが固定され、信号炎管の転がりを防止することができる。
【００２３】
図２に示す本発明の路面損傷防止体は、路面損傷防止体１に、結束による信号炎管の転がり防止手段を設けたものであり、信号炎管の本体３を結束具５（例えば、粘着テープやゴムひも等）で結束することにより、路面損傷防止体と信号炎管とが固定され、信号炎管の転がりを防止することができる。
【００２４】
図３に示す本発明の路面損傷防止体は、路面損傷防止体１の信号炎管載置部両端に、信号炎管の転がりを防止する突起状ストッパを具備したものであり、該図に示す路面損傷防止体は、板状の路面損傷防止体１をコの字型台座６に据え付けて作製したものであり、コの字型台座６からなる突起状ストッパが、信号炎管の転がりを防止することができる。なお、コの字型台座６は、紙や樹脂を用いて作製することができる。
【００２５】
図４に示す本発明の路面損傷防止体は、路面損傷防止体１の信号炎管載置部が凹面形状を呈した凹面体であり、路面損傷防止体の信号炎管載置部を凹面形状とすることにより、路面損傷防止体の両端がストッパとなり、信号炎管の転がりを防止することができる。
【００２６】
本発明の路面損傷防止体は、あらかじめ路面損傷防止体と信号炎管とを固定させたまま、信号炎管に着火させてもよいし、もしくは、信号炎管を着火させた後、路面損傷防止体上に固定または載置させてもよい。また、本発明の路面損傷防止体は、一般的な信号炎管を適用することができ、信号炎管の蓋体２を引き抜くことにより、該蓋体内に具備された擦付薬紙が信号炎管本体の着火薬を摩擦、着火させ、その後、路面損傷防止体を下側にして路面上に横に置いて使用される。
【００２７】
本発明の信号炎管用路面損傷防止体は、信号炎管の燃焼により発生する高温度の火炎及び燃焼残渣と路面との接触を防止する信号炎管用路面損傷防止体において、該路面損傷防止体の断熱層が、吸水させた親水性物質からなり、該断熱層は、断熱効果が高くアスファルト等の路面焼損を有効に防止でき、また、断熱層を薄くすることができるので、小型で運搬性に優れ、さらに、曲げや落下等の衝撃を受けても壊れにくく、耐屈曲性、耐衝撃性に優れ、取り扱いが容易である。
【実施例】
【００２８】
以下、本発明を実施例により説明するが、本発明は実施例により何ら限定されない。
【００２９】
実施例１
親水性物質であるポリアクリル酸ナトリウム１質量部に水５質量部を吸水させた水性ゲルを、ポリエチレン製袋に詰めた後、図１に示すように信号炎管載置部に両面テープを貼り付けて、路面損傷防止体（３６０ｍｍ×５０ｍｍ×厚み１０ｍｍ）を得た。
【００３０】
得られた路面損傷防止体に、信号炎管（２８４ｍｍ×直径３２ｍｍ）を取り付けた。落下強度試験は、アスファルト舗装路面上に１ｍの高さから路面損傷防止体を下側にして、路面に水平に落とし、路面損傷防止体の壊れ方を観察した。また、路面損傷試験は、信号炎管を着火させた後、路面損傷防止体を下側にして、路面上に置き、信号炎管の燃焼終了後に、アスファルトの損傷具合を観察した。結果を表１に示す。
【００３１】
実施例２
親水性物質であるグアーガム１質量部に水５質量部を吸水させた水性ゲルを、ポリエチレン製袋に詰めた後、図２に示すように紙製粘着テープ（幅３０ｍｍ）による結束具を取り付けて、路面損傷防止体（３６０ｍｍ×５０ｍｍ×厚み１０ｍｍ）を得た。
【００３２】
得られた路面損傷防止体に、実施例１と同様の信号炎管を取り付けた後、実施例１と同様にして、落下強度試験及び路面損傷試験を行った。結果を表１に示す。
【００３３】
比較例１
段ボール紙（３６０ｍｍ×５０ｍｍ×厚み１０ｍｍ）に、図２に示すように紙製粘着テープ（幅３０ｍｍ）による結束具を取り付けて、路面損傷防止体を得た。
【００３４】
得られた路面損傷防止体に、実施例１と同様の信号炎管を取り付けた後、実施例１と同様にして、落下強度試験及び路面損傷試験を行った。結果を表１に示す。
【００３５】
比較例２
パーライトに少量の糊を加えて、板状に成形（３６０ｍｍ×５０ｍｍ×厚み２０ｍｍ）し、乾燥した後、図２に示すように紙製粘着テープ（幅３０ｍｍ）による結束具を取り付けて、路面損傷防止体を得た。
【００３６】
得られた路面損傷防止体に、実施例１と同様の信号炎管を取り付けた後、実施例１と同様にして、落下強度試験及び路面損傷試験を行った。結果を表１に示す。
【００３７】
【表１】
2005301761.tif 000003
【００３８】
表１に示すように、本発明の路面損傷防止体（実施例１及び実施例２）は、落下強度に優れ、路面に損傷を与えることなく信号炎管を燃焼させることができたのに対し、段ボール紙を用いた比較例１の路面損傷防止体は、落下強度に優れる反面、路面損傷試験では、段ボールの燃焼により路面表面に焼け跡が残存するという結果となった。また、パーライトを用いた比較例２の路面損傷防止体は、路面損傷はないものの、落下強度に劣るという結果となった。
【産業上の利用可能性】
【００３９】
本発明の信号炎管用路面損傷防止体は、断熱層が吸水させた親水性物質からなり、該断熱層は、断熱効果が高く、信号炎管から発生する高温度の火炎及び燃焼残渣によるアスファルト等への路面焼損を有効に防止でき、また、断熱層を薄くすることができるので、小型で運搬性に優れ、さらに、曲げや落下等の衝撃を受けても壊れにくく、耐屈曲性、耐衝撃性に優れ、取り扱いが容易である。
【図面の簡単な説明】
【００４０】
【図１】本発明の路面損傷防止体（板状体）の一実施形態を示す概略図である。
【図２】本発明の路面損傷防止体（板状体）の一実施形態を示す概略図である。
【図３】本発明の路面損傷防止体（板状体）の一実施形態を示す概略図である。
【図４】本発明の路面損傷防止体（凹面体）の一実施形態を示す概略図である。
【符号の説明】
【００４１】
１  路面損傷防止体
２  信号炎管の蓋体
３  信号炎管の本体
４  粘着層
５  結束具
６  コの字型台座
【図１】
2005301761.tif 000004
【図２】
2005301761.tif 000005
【図３】
2005301761.tif 000006
【図４】
2005301761.tif 000007